(57)【要約】【課題】頁割り付けを容易にしかも精度よく行なうことができるようにした、印刷機の運転支援装置及び運転支援方法を提供することを目的とする。【解決手段】複数の印刷装置の各刷版位置に対する前記印刷物の各頁の割り付けを行なう際に、画面制御装置が、複数の印刷装置の各刷版位置に対する印刷物の各頁の割り付けを行なう際に、参照となる参照画面の情報を生成して、画面を表示し、入力装置による割付指令の入力モードとして、各印刷用紙の単位で複数の印刷装置の各刷版位置を対応させる印刷用紙対応入力モードを設ける。【選択図】        図１
2009190326.tif 000002
【特許請求の範囲】
【請求項１】
複数の印刷装置を有し、前記複数の印刷装置でそれぞれ印刷された印刷用紙を集合させ重合させて印刷物を製造する印刷機に付設され、印刷条件の設定を含む印刷機の運転を支援する印刷機の運転支援装置であって、
前記印刷条件の設定を含む前記印刷機の運転指令情報を入力する入力装置と、
前記入力装置を通じた入力に応じて印刷条件の設定及び印刷機の運転を指令する演算装置と、
前記印刷機の運転関連情報を表示する表示装置と、
前記表示装置の表示画面を制御する画面制御装置と、
をそなえ、
前記画面制御装置は、前記複数の印刷装置の各刷版位置に対する前記印刷物の各頁の割り付けを表示する頁割表を前記表示装置に表示する画面の情報を、前記入力装置を通じて入力された割付指令に応じて生成するとともに、前記割付指令時の参照となる参照画面の情報を生成する画面生成部をそなえ、
前記参照画面は、前記印刷物を構成する前記各印刷用紙の重なり状況を模式的に示す印刷物構成画面であって、
前記入力装置による前記割付指令の入力モードとして、前記各印刷用紙の単位で前記複数の印刷装置の各刷版位置を対応させる印刷用紙対応入力モードが設けられている
ことを特徴とする、印刷機の運転支援装置。
【請求項２】
前記印刷物構成画面には、前記各印刷用紙に対応させて前記複数の印刷装置の各刷版位置の選択メニューが表示可能とされ、
前記入力装置は、前記選択メニューに基づいて、前記各印刷用紙に対応する前記印刷装置の各刷版位置を選択可能である
ことを特徴とする、請求項１記載の印刷機の運転支援装置。
【請求項３】
前記入力装置は、前記表示装置の表示画面に畳重して配置されたタッチパネル，キーボード，及びマウスの何れかである
ことを特徴とする、請求項１又は２記載の印刷機の運転支援装置。
【請求項４】
前記印刷機は、前記印刷用紙としての連続紙の両面に対して１又は複数色の印刷を行なう前記印刷装置としての印刷ユニットを複数備えると共に、前記連続紙を幅方向に分割するスリッタと、前記複数の印刷ユニットによりそれぞれ印刷され前記スリッタにより適宜分割された前記連続紙を、設定された重なり順となるように集合及び重合させるべく前記連続紙の搬送ルートを可変に構成されたパスルートと、前記パスルートにより集合及び重合された前記連続紙を所定長さに断裁し折加工を施す折加工装置と、を備えた新聞輪転機である
ことを特徴とする、請求項１〜３の何れか１項に記載の印刷機の運転支援装置。
【請求項５】
前記の画面表示される頁割表は、前記複数の印刷ユニットの各版胴の配置に対応して構成され、前記各版胴はそのインキ色が表示され、前記頁の割り付けと共にインキ色の割り付けを案内するように構成されている
ことを特徴とする、請求項４記載の印刷機の運転支援装置。
【請求項６】
前記新聞輪転機は、前記複数の印刷ユニットの前記駆動側部分と前記操作側部分とで同じ頁を印刷し、前記スリッタにより２分割することで、前記印刷ユニットによる印刷回数に対して倍の部数の印刷を実施する両出しモードと、前記複数の印刷ユニットの前記駆動側部分と前記操作側部分とで異なる頁を印刷する片出しモードとを前記入力装置を通じて選択可能に構成され、
前記画面制御装置は、前記頁の割り付けに際し、前記片出しモードと前記両出しモードとのモード選択を案内する選択参照画面の情報を生成し、該選択参照画面を前記表示装置に表示すると共に、
前記演算装置は、前記複数の印刷ユニットの両出し及び片出しを前記モード選択に応じて設定する
ことを特徴とする、請求項４又は５記載の印刷機の運転支援装置。
【請求項７】
前記パスルートには、前記連続紙を反転させた上で他の前記連続紙に重ね合わせる反転装置がそなえられ、
前記画面制御装置は、前記頁の割り付けに際し、前記反転装置による反転の実施を指定参照画面の情報を生成し、該参照画面を前記表示装置に表示すると共に、
前記演算装置は、前記入力装置を通じた反転指定に応じて前記反転装置に作動指令する
ことを特徴とする、請求項４〜６のいずれか１項に記載の印刷機の運転支援装置。
【請求項８】
前記画面制御装置は、前記新聞の総頁数情報を入力するための参照画面の情報を生成し、該参照画面を前記表示装置に表示すると共に、
前記演算装置は、何れかの頁の印刷位置への割り付けが行なわれた、前記入力装置を通じた前記総頁数情報に基づいて、当該頁の割り付けが行なわれた同一連続紙の他の頁に対して印刷位置への割り付けを自動で実施する
ことを特徴とする、請求項４〜７のいずれか１項に記載の印刷機の運転支援装置。
【請求項９】
前記新聞の各頁の頁番号情報と当該頁の画像データとを有する頁データを前記新聞の各頁について記憶している頁データサーバと、
前記頁データに基づいて前記複数の印刷ユニットのそれぞれの運転を制御する印刷ユニット制御装置と、を有し、
前記演算装置は、前記頁データサーバから前記頁データを取得し、前記頁割り付けがされた前記新聞の各頁番号と、これに対応する前記頁番号情報を有する前記頁データを前記印刷ユニット制御装置に送信する
ことを特徴とする、請求項４〜８のいずれか１項に記載の印刷機の運転支援装置。
【請求項１０】
複数の印刷装置を有し、前記複数の印刷装置でそれぞれ印刷された印刷用紙を集合させ重合させて印刷物を製造する印刷機の運転に際して、入力装置による前記印刷機の運転条件の設定を含む印刷機の運転を、表示装置を用いて支援する印刷機の運転支援方法であって、
印刷条件の設定として、前記複数の印刷装置の各刷版位置に対する前記印刷物の各頁の割り付けを行なう際に、前記各印刷用紙の重なり順に応じて、前記各印刷用紙に前記複数の印刷装置の各刷版位置を対応させるように案内するステップと、
前記案内に応じた前記各印刷用紙に対する前記複数の印刷装置の各刷版位置の対応設定入力を受けて、前記頁割表を作成するステップと、をそなえている
ことを特徴とする、印刷機の運転支援方法。
【請求項１１】
前記印刷機は、前記印刷用紙としての連続紙の両面に対して１又は複数色の印刷を行なう前記印刷装置としての印刷ユニットを複数備えると共に、前記連続紙を幅方向に分割するスリッタと、前記複数の印刷ユニットによりそれぞれ印刷され前記スリッタにより適宜分割された前記連続紙を、設定された重なり順となるように集合及び重合させるべく前記連続紙の搬送ルートを可変に構成されたパスルートと、前記パスルートにより集合及び重合された前記連続紙を所定長さに断裁し折加工を施す折加工装置と、を備えた新聞輪転機である
ことを特徴とする、請求項１０記載の印刷機の運転支援方法。
【発明の詳細な説明】
【技術分野】
【０００１】
本発明は、複数の新聞用紙が重合され折加工がなされた新聞を生産する新聞輪転機の運転を支援するために用いて好適の、印刷機の運転支援装置及び運転支援方法に関する。
【背景技術】
【０００２】
近年、印刷機を運転する際には、操作端末等を通じて、各種の事前準備や、印刷機の運転時の管理等を行なう。
このような印刷機の事前準備として、印刷機に備えられ複数の印刷装置の各刷版装着位置に、印刷物の頁を割り付ける頁割り付けの処理がある。
例えば、新聞を印刷する新聞輪転機は、複数の印刷ユニット（タワーユニット），ウェブパス部及び折加工部がウェブ（印刷用紙としての連続紙）の走行経路にこの順にそなえている。
【０００３】
また、各タワーユニットには、ウェブローラ（巻取紙）を装着された給紙部と、インフィード部と、表裏それぞれ適宜の数の版胴及びブランケット胴を備えた印刷部とがこの順に設けられている。
ウェブパス部は、制御要素としてのコンペンセータローラ等によりウェブパスルートの長さを調整し、ウェブパスルート変更機構により種々の組み合わせで各ウェブの重ね合わせ順を変更することができる。なお、新聞輪転機の場合、通常ウェブパス部において、スリッタ（図示略）により必要に応じてウェブＷが幅方向に２分割されるため、より複雑なウェブパスルートが形成されることとなる。
【０００４】
このような新聞輪転機において、新聞を生産する際には新聞輪転機の運転開始前の準備段階において各タワーユニットの各版胴のどの位置に何頁の刷版を装着して印刷を実施するのかを示す頁割り付け表（頁割表又は面割表）を作成する処理が必要になる（例えば、特許文献１参照）。
このような頁割表は、各ユニットの各版胴へ刷版を装着するために、或いは、各頁のデータに基づいて対応する版胴に関するインキ供給を制御するためなどのデータの対応付けに用いたりすることができる。
つまり、印刷オペレータは、この頁割表から各タワーユニットの内のどの位置にどの頁の刷版を装着するかを正確に把握することができ、所望の位置に刷版を装着することができる。また、各タワーユニットからウェブパス部を通過する際のウェブパスルート変更機構を操作してウェブパスルートを適切に設定することができる。
【０００５】
また、例えば、頁割り当ての内容を新聞輪転機の制御装置に入力することにより、上位サーバから受信した画像データに基づいて、印刷開始前に各タワーユニットのインキ供給量のプリセットを行う技術も提案されている。
【特許文献１】特開２００５−１４４９６５号公報
【発明の開示】
【発明が解決しようとする課題】
【０００６】
ところで、頁割表の作成、つまり、各タワーユニットの各版胴のどの位置に何頁の印刷を実施するかの設定（即ち、頁割り付け）は、新聞輪転機の場合であれば、ウェブパスルートの状態や、印刷頁が４色プロセスインキのカラー印刷が必要な頁か否か等を考慮して行なう必要があるが、このような頁割り付け作業は熟練のオペレータによる手作業で作成されることが一般的である。そして、作成された頁割表に基づいて必要に応じて新聞輪転機の制御装置に頁割の入力等を行なっている。
【０００７】
したがって、頁割表の作成は、オペレータの大きな作業負担となり新聞印刷のみならず印刷にかかる作業効率が低下の一因となるとともに、人的ミスによる刷版の掛け間違いや、印刷機の制御装置に適切な対応でデータを入力できない等が生じる虞がある。
また、例えば新聞輪転機の場合には、地方版のように、同日の印刷であっても総頁数の変更が必要となる場合や、頁番号が同じであっても印刷色数の変更が必要となる場合もあり、このような場合には、頁割表を再度作成したり、刷版の付け替え作業を行ったりする必要がある。
【０００８】
この場合、オペレータの更なる作業負担となり、新聞印刷のように短時間での処理が必要な場合、上述のような人的ミスを誘発する虞も高まる。
本発明はこのような課題に鑑み創案されたもので、頁割り付けを容易にしかも精度よく行なうことができるようにした、印刷機の運転支援装置及び運転支援方法を提供することを目的とする。
【課題を解決するための手段】
【０００９】
上述の目的を達成するために、本発明の印刷機の運転支援装置（請求項１）は、複数の印刷装置を有し、前記複数の印刷装置でそれぞれ印刷された印刷用紙を集合させ重合させて印刷物を製造する印刷機に付設され、印刷条件の設定を含む印刷機の運転を支援する印刷機の運転支援装置であって、前記印刷条件の設定を含む前記印刷機の運転指令情報を入力する入力装置と、前記入力装置を通じた入力に応じて印刷条件の設定及び印刷機の運転を指令する演算装置と、前記印刷機の運転関連情報を表示する表示装置と、前記表示装置の表示画面を制御する画面制御装置と、をそなえ、前記画面制御装置は、前記複数の印刷装置の各刷版位置に対する前記印刷物の各頁の割り付けを表示する頁割表を前記表示装置に表示する画面の情報を、前記入力装置を通じて入力された割付指令に応じて生成するとともに、前記割付指令時の参照となる参照画面の情報を生成する画面生成部をそなえ、前記参照画面は、前記印刷物を構成する前記各印刷用紙の重なり状況を模式的に示す印刷物構成画面であって、前記入力装置による前記割付指令の入力モードとして、前記各印刷用紙の単位で前記複数の印刷装置の各刷版位置を対応させる印刷用紙対応入力モードが設けられていることを特徴としている。
【００１０】
前記印刷物構成画面には、前記各印刷用紙に対応させて前記複数の印刷装置の各刷版位置の選択メニューが表示可能とされ、前記入力装置は、前記選択メニューに基づいて、前記各印刷用紙に対応する前記印刷装置の各刷版位置を選択可能であることが好ましい（請求項２）。
また、前記入力装置は、前記表示装置の表示画面に畳重して配置されたタッチパネル，キーボード，及びマウスの何れかであることが好ましい（請求項３）。
【００１１】
さらに、前記印刷機は、前記印刷用紙としての連続紙（ウェブ）の両面に対して１又は複数色の印刷を行う前記印刷装置としての印刷ユニットを複数備えると共に、前記連続紙を幅方向に分割するスリッタと、前記複数の印刷ユニットによりそれぞれ印刷され前記スリッタにより適宜分割された前記連続紙を、設定された重なり順となるように集合及び重合させるべく前記連続紙の搬送ルートを可変に構成されたパスルートと、前記パスルートにより集合及び重合された前記連続紙を所定長さに断裁し折加工を施す折加工装置と、を備えた新聞輪転機であることが好ましい（請求項４）。
【００１２】
前記の画面表示される頁割表は、前記複数の印刷ユニットの各版胴の配置に対応して構成され、前記各版胴はそのインキ色が表示され、前記頁の割り付けと共にインキ色の割り付けを案内するように構成されていることが好ましい（請求項５）。
この場合、前記新聞輪転機は、前記複数の印刷ユニットの前記駆動側部分と前記操作側部分とで同じ頁を印刷し、前記スリッタにより２分割することで、前記印刷ユニットによる印刷回数に対して倍の部数の印刷を実施する両出しモードと、前記複数の印刷ユニットの前記駆動側部分と前記操作側部分とで異なる頁を印刷する片出しモードとを前記入力装置を通じて選択可能に構成され、前記画面制御装置は、前記頁の割り付けに際し、前記片出しモードと前記両出しモードとのモード選択を案内する選択参照画面の情報を生成し、該選択参照画面を前記表示装置に表示すると共に、前記演算装置は、前記複数の印刷ユニットの両出し及び片出しを前記モード選択に応じて設定することが好ましい（請求項６）。
【００１３】
前記パスルートには、前記連続紙を反転させた上で他の前記連続紙に重ね合わせる反転装置がそなえられ、前記画面制御装置は、前記頁の割り付けに際し、前記反転装置による反転の実施を指定参照画面の情報を生成し、該参照画面を前記表示装置に表示すると共に、前記演算装置は、前記入力装置を通じた反転指定に応じて前記反転装置に作動指令することが好ましい（請求項７）。
【００１４】
また、前記画面制御装置は、前記新聞の総頁数情報を入力するための参照画面の情報を生成し、該参照画面を前記表示装置に表示すると共に、前記演算装置は、何れかの頁の印刷位置への割り付けが行なわれた、前記入力装置を通じた前記総頁数情報に基づいて、当該頁の割り付けが行なわれた同一連続紙の他の頁に対して印刷位置への割り付けを自動で実施することが好ましい（請求項８）。
【００１５】
さらに、前記新聞の各頁の頁番号情報と当該頁の画像データとを有する頁データを前記新聞の各頁について記憶している頁データサーバと、前記頁データに基づいて前記複数の印刷ユニットのそれぞれの運転を制御する印刷ユニット制御装置と、を有し、前記演算装置は、前記頁データサーバから前記頁データを取得し、前記頁割り付けがされた前記新聞の各頁番号と、これに対応する前記頁番号情報を有する前記頁データを前記印刷ユニット制御装置に送信することが好ましい（請求項９）。
【００１６】
また、本発明の印刷機の運転支援方法（請求項１０）は、複数の印刷装置を有し、前記複数の印刷装置でそれぞれ印刷された印刷用紙を集合させ重合させて印刷物を製造する印刷機の運転に際して、入力装置による前記印刷機の運転条件の設定を含む印刷機の運転を、表示装置を用いて支援する印刷機の運転支援方法であって、印刷条件の設定として、前記複数の印刷装置の各刷版位置に対する前記印刷物の各頁の割り付けを行なう際に、前記各印刷用紙の重なり順に応じて、前記各印刷用紙に前記複数の印刷装置の各刷版位置を対応させるように案内するステップと、前記案内に応じた前記各印刷用紙に対する前記複数の印刷装置の各刷版位置の対応設定入力を受けて、前記頁割表を作成するステップと、をそなえていることを特徴としている。
【００１７】
この場合も、前記印刷機は、前記印刷用紙としての連続紙（ウェブ）の両面に対して１又は複数色の印刷を行う前記印刷装置としての印刷ユニットを複数備えると共に、前記連続紙を幅方向に分割するスリッタと、前記複数の印刷ユニットによりそれぞれ印刷され前記スリッタにより適宜分割された前記連続紙を、設定された重なり順となるように集合及び重合させるべく前記連続紙の搬送ルートを可変に構成されたパスルートと、前記パスルートにより集合及び重合された前記連続紙を所定長さに断裁し折加工を施す折加工装置と、を備えた新聞輪転機であることが好ましい（請求項１１）。
【発明の効果】
【００１８】
本発明の印刷機の運転支援装置及び運転支援方法によれば、各印刷用紙の重なり順に応じて、各印刷用紙に複数の印刷装置の各刷版位置を対応させるように案内するので、頁割り付けを容易にしかも精度よく行なうことができるようになる。
【発明を実施するための最良の形態】
【００１９】
以下、図面を参照して本発明の実施形態について説明する。
図１〜図６は本発明の一実施形態にかかる新聞輪転機の運転支援装置及び方法を説明するもので、図１はその運転支援装置の主要部分を示す斜視図、図２は運転支援装置を含む運転支援システムの概略構成図、図３，図４はその運転支援にかかる表示画面を示す図、図５はその新聞輪転機を示す模式的な構成図、図６はその印刷装置（印刷ユニット）の要部を示す斜視図である。
【００２０】
なお、本実施形態は、印刷機として複数の印刷ユニットにより新聞印刷を行う新聞用オフセット輪転印刷機（新聞輪転機）に本発明を適用したものである。
本実施形態にかかる新聞輪転機は、周知の構成であるが、図５に示すように、新聞輪転機１０は、複数の印刷ユニットＴ１〜Ｔ６，ウェブパス部１４及び折加工部１５が印刷用紙としての連続紙（ウェブ）１の走行経路にこの順にそなえて構成される。
【００２１】
また、各印刷ユニットＴ１〜Ｔ６には、ウェブローラ（巻取紙）１ａを装着された給紙部１１と、インフィード部１２と、表裏それぞれ適宜の数の版胴及びブランケット胴を備えた印刷部１３とがこの順に設けられている。
ウェブパス部１４は、制御要素としてのコンペンセータローラ等によりウェブパスルートの長さを調整し、ウェブパスルート変更機構により種々の組み合わせで各ウェブ１の重ね合わせ順を変更することができる。なお、新聞輪転機の場合、通常ウェブパス部１４において、スリッタ（図示略）により必要に応じてウェブ１が幅方向に２分割されるため、より複雑なウェブパスルートが形成されることとなる。
【００２２】
また、各印刷ユニットＴ１〜Ｔ６の印刷部１３には、例えば、図６に示すように、ウェブ１を挟んで、刷版１３０をそれぞれ装着された版胴１３１，１３１と、これに接触するブランケット胴１３２，１３２とがそれぞれ備えられている。このような版胴１３１，１３１及びブランケット胴１３２，１３２は、各印刷ユニットのインキ色の分だけ備えられており、新聞輪転機の場合、通常、各版胴１３１には４頁分の刷版１３０が装備される。
【００２３】
このような新聞輪転機に関し、刷版を作成したり、印刷実施前に印刷条件の設定を行なったり、印刷実施時に各部の運転状態を監視し管理をしたりするため、印刷機の運転支援システムが備えられている。
図２はかかる運転支援システムの概要を示す構成図であり、図示するように、運転支援システム２０は、ハブ（スイッチングハブ）２２を通じて接続された製版端末２１及び各コンソール端末２３を備えている。製版端末２１は、例えば製版室に装備され、接続された上位システム３０からデータを受信し、管理する。コンソール端末２３は、新聞輪転機毎に装備され、新聞輪転機に備えられた種々の制御装置２４ａ〜２４ｆとネットワーク（例えばＰＬＣネットワーク）により接続され、制御装置２４ａ〜２４ｆと各種データを送受信する。
【００２４】
各コンソール端末２３は、図１に示すように、コンピュータ本体２３１と、ディスプレイ（表示装置）２３２とを備え、コンピュータ本体２３１は、ハブ２１及びネットワーク（ＰＬＣネットワーク）と接続されている。なお、本実施形態では、製版端末２１も、各コンソール端末２３と同様の構造及び機能を含んでいるが、ここでは、コンソール端末２３を代表して説明する。
【００２５】
コンソール端末２３のディスプレイ２３２の表示画面には、タッチパネル２３３が畳重して装備されており、このタッチパネル２３３が印刷条件の設定を含む新聞輪転機の運転指令情報を入力する入力装置として機能する。
コンピュータ本体２３１には、その機能要素として、タッチパネル２３３を通じた入力に応じて印刷条件の設定及び印刷機の運転を指令する演算装置２３１ａと、ディスプレイ２３２の表示画面を制御する画面制御装置２３１ｂとをそなえている。
【００２６】
このような新聞輪転機において、新聞を生産する際には新聞輪転機の運転開始前の準備段階において、各印刷ユニットＴ１〜Ｔ６の各版胴のどの位置に新聞の何頁を割り当てて印刷を実施するのかを設定する頁割り付けの処理が必要になる。通常、この頁割り付け処理は、頁割り付け表（頁割表）によって纏められ管理されるので、頁割表を作成する処理が必要になる。
【００２７】
この頁割表は、図４に示すように、ディスプレイ２３２の表示画面上に示されるようになっており（符号３３５参照）、画面制御装置２３１ｂでは、タッチパネル２３３を通じて入力された設定情報に応じて、この頁割表３３５の頁番号枠内に頁番号を入力するようになっている。
この頁割表を作成するに当たって、本装置及び方法では、図３に示すような印刷用紙の重なりを示す案内画面を表示し、これに従ってタッチパネル２３３を通じた頁割り付けの入力を行なえる印刷用紙対応入力モードが設けられている。もちろん、ディスプレイ２３２に、図４に示す画面を表示して、頁割表３３５を参照しながら頁番号枠内に頁番号を直接入力する入力モードも設けられている。なお、このような図３，図４に示す各画面の画面情報は、画面制御装置２３１ｂの対応する機能（画面生成部）により生成されるようになっている。
【００２８】
ここで、図３の案内画面を説明すると、この画面には、画面の上部及び右部に、操作選択等のスイッチ類３３４が表示され、画面上の各スイッチ箇所に触れるとタッチパネル２３３が反応して、操作選択及び操作を行なうことができるようになっている。
ここに示す例では、画面の上部に、モード表示（ここでは、「運転条件」と表示されている）及び印刷指令スイッチが備えられ、画面の右部の下部に項目選択スイッチ（「頁割付」，「色割付」，「使用コンペン」，「折機頁」，「自排・ダンサ圧」，「紙通しＩＤ」の各スイッチ）が表示され、画面の右部の上下中間部に操作スイッチ（「入替」，「コピー」，「消去」，「移動」の各スイッチ）が表示され、画面の右部の上部に選択項目に関する設定スイッチ（ここでは「簡易頁割付設定」のスイッチを示す）が表示されている。
【００２９】
画面の中央部には、新聞を構成する各印刷用紙（ウェブを切断した後のもの）の重なり状況を模式的に示す印刷物構成画面３３３が参照画面として表示される。
この印刷物構成画面３３３には、総頁数（縦頁）を設定する総頁数設定スイッチ（「縦頁」）と、両出しモードと片出しモードと選択する折出モード選択スイッチ（「折出」）とが上部に設けられ、さらに、各印刷ユニットを駆動側，操作側でそれぞれ選択できる印刷ユニット選択スイッチ（「Ｔ３７駆」，「Ｔ３７操」等）が表示される。また、各印刷用紙の重なり状況を模式的に示す絵柄には、左右（画面中では上下）及び表裏に対応する頁番号が畳重表示され、その下部には、各印刷用紙に対応して、印刷ユニットを割り付け指定する指定枠（「Ｔ３１操」，「Ｔ３１駆」等）と、単幅反転指定スイッチがそれぞれ表示される。
【００３０】
また、設定を決定するＯＫスイッチ及び設定を取り消すＣＡＮＣＥＬスイッチが表示される。
したがって、総頁数設定スイッチの頁番号メニューを昇降し選択して総頁数（縦頁）を設定することで、総頁数に対応した数の印刷用紙の重なり状況を模式的に示す絵柄とこれに対する各頁番号を表示できるようになっている。なお、通常、印刷用紙１枚が左右及び表裏で合計４頁あるので、総頁数が決まれば、各印刷用紙の各頁番号は必然的に決まるため、演算装置２３１ａで各印刷用紙の各頁番号を演算して、この演算結果に基づいて、画面制御装置２３１ｂが表示すべきページ番号を設定する。
【００３１】
例えば、総ページ数がｎであれば、最下部（印刷物構成画面３３３中、最も右寄りの印刷用紙）の裏面（右面）は、一方が第１頁であれば他方は第ｎ頁となり、順次、ページ番号を決めることができる。このとき、見開き面で、両頁番号の数を合わせると、ｎ＋１となる原理を利用でき、図３に示すように、総ページ数ｎが４８であれば、第２頁の見開き面の隣は第４７頁（２＋４７＝４９）となり、第３頁の見開き面の隣は第４６頁（３＋４６＝４９）となり、順次ページ番号が決まる。
【００３２】
そして、印刷用紙の重なり状況を模式的に示す絵柄に対応する指定枠をタッチ操作して、そこに、割り付けるべき印刷ユニット選択スイッチをタッチ操作する作業によって、絵柄を参照しながら、各ページに印刷ユニットの各印刷位置を割り付けることができる。
この際、両出しモードと片出しモードとの選択や、必要に応じて単幅反転指定を行なう。
【００３３】
この条件設定によっては、印刷ユニットの構造から、ある印刷用紙にある印刷ユニットの駆動側或いは操作側を割り当てれば、当該印刷ユニットの操作側或いは駆動側は一意的に設定される場合がある。したがって、何れかの頁の印刷位置への割り付けが行なわれたら、総頁数情報に基づいて、該頁の割り付けが行なわれた同一連続紙の他の頁に対して印刷位置への割り付けを自動で実施することができ、演算装置２３１ａではこのように割り付けを行なうようになっている。
【００３４】
また、各頁毎に必要なインキ色の割り付けも同時に実施できる。このとき、各印刷ユニットには、可能なインキ色の数があるので、不可能な色の割付にはアラームが表示され、割付できないようになっている。
このようにして、図３の案内画面を参照しながら、各頁に、使用する印刷ユニットを割り当てることができる。
【００３５】
次に、図４の画面の頁割表３３５を説明すると、頁割表３３５は、各印刷ユニットの各版胴の配置に対応して構成され、各版胴対応箇所にはそのインキ色が表示され、前記頁の割り付けと共にインキ色の割り付けを案内するように構成されている。なお、頁割表３３５の画面も、図３の案内画面と同様に、上部に、モード表示及び印刷指令スイッチが備えられ、画面の右部に、項目選択スイッチ，操作スイッチ，設定スイッチが表示されている。
【００３６】
そして、前記の図３の案内画面を参照した頁の割り付け、つまり、各ページに使用する印刷ユニットの各部を対応させることができたら、図４の画面の頁割表３３５内の使用する印刷ユニットの各部には、演算装置２３１ａ及び画面制御装置２３１ｂを通じて自動的に頁が割り付けられ、頁割表３３５が完成する。
なお、上位システム３０には、新聞の各頁の頁番号情報と当該頁の画像データとを有する頁データが記憶されている頁データサーバと、この頁データに基づいて各印刷ユニットのそれぞれの運転状態を制御する印刷ユニット制御装置とが設けられているので、演算装置２３１ａは、頁データサーバから頁データを取得し、頁割り付けがされた新聞の各頁番号と、これに対応する頁番号情報を有する頁データを印刷ユニット制御装置に送信することで、各印刷ユニットの制御に利用できるようになっている。
【００３７】
本発明の一実施形態にかかる印刷機の運転支援装置及び方法は上述のように構成されており、各印刷用紙の重なり順に応じて、各印刷用紙に複数の印刷装置の各刷版位置を対応させるように案内するので、オペレータは、各印刷用紙の重なり順の表示を参照しながら、頁割り付けを容易にしかも精度よく行なうことができるようになる。
つまり、印刷物として完成する新聞は、図３の各印刷用紙の重なり順を示す画面のように構成されるので、完成する新聞を把握しながら、頁の割付を行なうことができるので、人的ミスを抑制することができ、熟練しないオペレータでも、頁割り付けを精度よく行なうことができるようになる。
【００３８】
また、併せて、色割り付けもインキ色を表示した画面（図４）を参照すれば割り付けを容易にしかも精度よく行なうことができるようになる。
なお、本発明は、かかる実施形態に限定されるものではなく、本発明は、その趣旨を逸脱しない範囲で、上記の実施形態に対して種々変形を加えて実施することができる。
例えば、各印刷用紙の重なり順を示す画面は図３のものに限定されず種々のものを適用しうる。
【００３９】
また、新聞輪転機に限らず種々の印刷機に適用できる。
【図面の簡単な説明】
【００４０】
【図１】本発明の一実施形態にかかる新聞輪転機の運転支援装置の主要部分を示す斜視図である。
【図２】本発明の一実施形態にかかる新聞輪転機の運転支援システムの概略構成図である。
【図３】本発明の一実施形態にかかる新聞輪転機の運転支援装置及び方法を説明する表示画面を示す図である。
【図４】本発明の一実施形態にかかる新聞輪転機の運転支援装置及び方法を説明する表示画面を示す図である。
【図５】本発明の一実施形態にかかる新聞輪転機を示す模式的な構成図である。
【図６】本発明の一実施形態にかかる新聞輪転機の運転支援装置及び方法にかかる印刷装置の要部を示す斜視図である。
【符号の説明】
【００４１】
１  連続紙（ウェブ）
１ａ  ウェブローラ（巻取紙）
１０新聞輪転機
１１  給紙部
１２  インフィード部
１３  印刷部
１３０  刷版
１３１  版胴
１３２  ブランケット胴
１４  ウェブパス部
１５  折加工部
２０  運転支援システム
２１  製版端末
２２  ハブ（スイッチングハブ）
２３  コンソール端末
２４ａ〜２４ｆ  制御装置
３０  上位システム
２３１  コンピュータ本体
２３１ａ  演算装置
２３１ｂ  画面制御装置
２３２  ディスプレイ（表示装置）
２３３  タッチパネル（入力装置）
Ｔ１〜Ｔ６  印刷ユニット
【図１】
2009190326.tif 000003
【図２】
2009190326.tif 000004
【図３】
2009190326.tif 000005
【図４】
2009190326.tif 000006
【図５】
2009190326.tif 000007
【図６】
2009190326.tif 000008